(57)【特許請求の範囲】
【請求項１】
第1のパラメータと第2のパラメータとに基づいて、DCI (Downlink Control Information) におけるDMRS (DeModulation Reference Signal) に係るアンテナポートのconfigurationのインデックス値のビット数を決定し、
前記DCIを、ネットワーク装置から受信し、
前記第1のパラメータは、DMRS Configuration 1またはDMRS Configuration 2であり、
前記第2のパラメータは、DMRSの伝送に対して用いられるシンボル数に係るパラメータであり、
前記第2のパラメータが1シンボルの場合に、前記DMRS Configuration 1は、最大4個のtransmission layerをサポートし、
前記第2のパラメータが2シンボルの場合に、前記DMRS Configuration 1は、最大8個のtransmission layerをサポートし、
前記第2のパラメータが1シンボルの場合に、前記DMRS Configuration 2は、最大6個のtransmission layerをサポートし、
前記第2のパラメータが2シンボルの場合に、前記DMRS Configuration 2は、最大12個のtransmission layerをサポートしている、
端末。
【請求項２】
前記第1のパラメータを、RRC (Radio Resource Control) 層のシグナリングによって受信する、
請求項１に記載の端末。
【請求項３】
前記第2のパラメータを、RRC (Radio Resource Control) 層のシグナリングによって受信する、
請求項１または２に記載の端末。
【請求項４】
前記DMRSを、前記ネットワーク装置から受信し、
前記インデックス値に係る前記configurationに基づいて、前記DMRSを認識する、
請求項１、２または３のいずれか１項に記載の端末。
【請求項５】
前記インデックス値に係る前記configurationに基づいて、前記DMRSを、前記ネットワーク装置に送信する、
請求項１、２または３のいずれか１項に記載の端末。
【請求項６】
第1のパラメータと第2のパラメータとに基づいて、DCI (Downlink Control Information) におけるDMRS (DeModulation Reference Signal) に係るアンテナポートのconfigurationのインデックス値のビット数を決定し、
前記DCIを、端末に送信し、
前記第1のパラメータは、DMRS Configuration 1またはDMRS Configuration 2であり、
前記第2のパラメータは、DMRSの伝送に対して用いられるシンボル数に係るパラメータであり、
前記第2のパラメータが1シンボルの場合に、前記DMRS Configuration 1は、最大4個のtransmission layerをサポートし、
前記第2のパラメータが2シンボルの場合に、前記DMRS Configuration 1は、最大8個のtransmission layerをサポートし、
前記第2のパラメータが1シンボルの場合に、前記DMRS Configuration 2は、最大6個のtransmission layerをサポートし、
前記第2のパラメータが2シンボルの場合に、前記DMRS Configuration 2は、最大12個のtransmission layerをサポートしている、
ネットワーク装置。
【請求項７】
前記第1のパラメータを、RRC (Radio Resource Control) 層のシグナリングによって、前記端末に送信する、
請求項６に記載のネットワーク装置。
【請求項８】
前記第2のパラメータを、RRC (Radio Resource Control) 層のシグナリングによって、前記端末に送信する、
請求項６または７に記載のネットワーク装置。
【請求項９】
前記DMRSを、前記端末から受信し、
前記インデックス値に係る前記configurationに基づいて、前記DMRSを認識する、
請求項６、７または８のいずれか１項に記載のネットワーク装置。
【請求項１０】
前記インデックス値に係る前記configurationに基づいて、前記DMRSを、前記端末に送信する、
請求項６、７または８のいずれか１項に記載のネットワーク装置。
【請求項１１】
第1のパラメータと第2のパラメータとに基づいて、DCI (Downlink Control Information) におけるDMRS (DeModulation Reference Signal) に係るアンテナポートのconfigurationのインデックス値のビット数を決定し、
前記DCIを受信し、
前記第1のパラメータは、DMRS Configuration 1またはDMRS Configuration 2であり、
前記第2のパラメータは、DMRSの伝送に対して用いられるシンボル数に係るパラメータであり、
前記第2のパラメータが1シンボルの場合に、前記DMRS Configuration 1は、最大4個のtransmission layerをサポートし、
前記第2のパラメータが2シンボルの場合に、前記DMRS Configuration 1は、最大8個のtransmission layerをサポートし、
前記第2のパラメータが1シンボルの場合に、前記DMRS Configuration 2は、最大6個のtransmission layerをサポートし、
前記第2のパラメータが2シンボルの場合に、前記DMRS Configuration 2は、最大12個のtransmission layerをサポートしている、
方法。
【請求項１２】
前記第1のパラメータを、RRC (Radio Resource Control) 層のシグナリングによって受信する、
請求項１１に記載の方法。
【請求項１３】
前記第2のパラメータを、RRC (Radio Resource Control) 層のシグナリングによって受信する、
請求項１１または１２に記載の方法。
【請求項１４】
前記DMRSを受信し、
前記インデックス値に係る前記configurationに基づいて、前記DMRSを認識する、
請求項１１、１２または１３のいずれか１項に記載の方法。
【請求項１５】
前記インデックス値に係る前記configurationに基づいて、前記DMRSを送信する、
請求項１１、１２または１３のいずれか１項に記載の方法。
【請求項１６】
第1のパラメータと第2のパラメータとに基づいて、DCI (Downlink Control Information)におけるDMRS (DeModulation Reference Signal) に係るアンテナポートのconfigurationのインデックス値のビット数を決定し、
前記DCIを送信し、
前記第1のパラメータは、DMRS Configuration 1またはDMRS Configuration 2であり、
前記第2のパラメータは、DMRSの伝送に対して用いられるシンボル数に係るパラメータであり、
前記第2のパラメータが1シンボルの場合に、前記DMRS Configuration 1は、最大4個のtransmission layerをサポートし、
前記第2のパラメータが2シンボルの場合に、前記DMRS Configuration 1は、最大8個のtransmission layerをサポートし、
前記第2のパラメータが1シンボルの場合に、前記DMRS Configuration 2は、最大6個のtransmission layerをサポートし、
前記第2のパラメータが2シンボルの場合に、前記DMRS Configuration 2は、最大12個のtransmission layerをサポートしている、
方法。
【請求項１７】
前記第1のパラメータを、RRC (Radio Resource Control) 層のシグナリングによって送信する、
請求項１６に記載の方法。
【請求項１８】
前記第2のパラメータを、RRC (Radio Resource Control) 層のシグナリングによって送信する、
請求項１６または１７に記載の方法。
【請求項１９】
前記DMRSを受信し、
前記インデックス値に係る前記configurationに基づいて、前記DMRSを認識する、
請求項１６、１７または１８のいずれか１項に記載の方法。
【請求項２０】
前記インデックス値に係る前記configurationに基づいて、前記DMRSを送信する、
請求項１６、１７または１８のいずれか１項に記載の方法。
【発明の詳細な説明】
【技術分野】
【０００１】
本開示の実施形態は、一般には、電気通信の分野に関し、特に、リファレンス信号（RS(reference signal)）configurationのための方法及び装置に関する。
【背景技術】
【０００２】
通信技術の発展に伴い、例えば、一般には高いデータレートを必要とするeMBB（enhanced mobile broadband）、典型的には長いバッテリ寿命を必要とするmMTC（massive machine type communication）、および、URLLC（ultra-reliable and low latency communication）といった、複数のタイプのサービスまたはトラフィックが提案されている。その一方で、ビームマネージメント、リファレンス信号伝送などのマルチアンテナ方式が、新無線アクセスのために研究されている。
【０００３】
従来、ネットワークデバイス（例えば、eNB又はgNB）は、DMRS（Demodulation Reference Signal）、CSI-RS（Channel State Information-Reference Signal）、SRS（Sounding Reference Signal）などのダウンリンクRS（reference signal）を送信する。システム内の端末デバイス（例えば、ユーザ装置）は、割り当てられたリソース上で、ダウンリンクリファレンス信号を受信することができる。また、端末デバイスは、対応する割り当てられたリソース上で、ネットワークデバイスにアップリンクリファレンス信号を送信することもできる。ＲＳに対して割り当てられたリソースを示すために、ネットワークデバイスは、ＲＳの伝送に先立って端末デバイスへＲＳ configurationを送信することができる。
【０００４】
例えば、ＤＭＲＳについての２つのconfigurationパターンは、３ＧＰＰ仕様で設計され、同意されてきており、それぞれが最大８又は１２の直交するＤＭＲＳポートをサポートできる。このことは、端末デバイスへＤＭＲＳ configurationを示すネットワークデバイスに対して比較的大きなオーバーヘッドをもたらすことができる。この場合、ＤＭＲＳ configurationに対するオーバーヘッド削減方式は、考慮される必要がある。
【発明の概要】
【発明が解決しようとする課題】
【０００５】
概して、本開示の例示的な実施形態は、ＲＳ configurationのための方法及び装置を提供する。
【課題を解決するための手段】
【０００６】
第１の態様では、ネットワークデバイスにおいて実施される方法が提供される。この方法によれば、ネットワークデバイスによりサーブされる端末デバイスに対するＲＳ（reference signal）configurationを示すための領域のサイズが、ＲＳ伝送に関連する少なくとも１つの条件に基づいて決定される。ＲＳ configurationの第１の指標（indication）は、端末デバイスへ送信される。第１の指標は、前記決定されたサイズと共に前記領域に含まれる。
【０００７】
第２の態様では、端末デバイスにおいて実施される方法が提供される。この方法によれば、ネットワークデバイスによりサーブされる端末デバイスに対するＲＳ（reference signal）configurationを示すための領域のサイズが、ＲＳ伝送に関連する少なくとも１つの条件に基づいて決定される。ＲＳ configurationの第１の指標は、ネットワークデバイスから受信される。第１の指標は、決定されたサイズと共に領域に含まれる。
【０００８】
第３の態様では、ネットワークデバイスが提供される。ネットワークデバイスは、プロセッサと当該プロセッサと連結されるメモリとを備える。前記メモリは、前記プロセッサにより実行されるときに、前記ネットワークデバイスにアクションを実行させる命令を格納する。前記アクションは、リファレンス信号（RS（reference signal））送信に関連する少なくとも１つの条件に基づいて、前記ネットワークデバイスによりサーブされる端末デバイスに対するＲＳ configurationを示すための領域のサイズを決定すること、及び、ＲＳ configurationの第１の指標を前記端末デバイスへ送信すること、を備え、前記第１の指標は、決定されたサイズと共に領域に含まれる。
【０００９】
第４の態様では、端末デバイスが提供される。前記端末デバイスは、プロセッサと、当該プロセッサと連結されるメモリとを備える。前記メモリは、前記プロセッサにより実行されるときに、前記端末デバイスにアクションを実行させる命令を格納する。前記アクションは、リファレンス信号（RS（reference signal））送信に関連する少なくとも１つの条件に基づいて、前記端末デバイスへサーブするネットワークデバイスによりＲＳconfigurationを示すための領域のサイズを決定すること、及び、、ＲＳconfigurationの第１の指標を、前記ネットワークデバイスから、受信すること、を備え、前記第１の指標は、決定されたサイズと共に領域に含まれる。
【００１０】
本開示の他の特徴は、以下の説明を通して容易に理解されるであろう。
【図面の簡単な説明】
【００１１】
添付図面における本開示のいくつかの実施形態のより詳細な説明を通して、本開示の上記及び他の目的、特徴及び利点がより明らかになるであろう。
【００１２】
【図１】図１は、本開示の実施形態を実施可能な通信環境のブロック図である。
【００１３】
【図２】図２は、本開示のいくつかの実施形態によるＲＳ通信のための処理を示す。
【００１４】
【図３】図３は、本開示のいくつかの実施形態による例示的な方法のフローチャートを示す。
【００１５】
【図４】図４は、本開示のいくつかの実施形態による可能なＤＭＲＳ configurationの例を示す。
【００１６】
【図５Ａ】図５Ａは、本開示のいくつかの実施形態による可能なＤＭＲＳ configurationの例を示す。
【図５Ｂ】図５Ｂは、本開示のいくつかの実施形態による可能なＤＭＲＳ configurationの例を示す。
【００１７】
【図６Ａ】図６Ａは、本開示のいくつかの実施形態による可能なＤＭＲＳ configurationの例を示す。
【図６Ｂ】図６Ｂは、本開示のいくつかの実施形態による可能なＤＭＲＳ configurationの例を示す。
【００１８】
【図７】図７は、本開示のいくつかの実施形態による可能なＤＭＲＳ configurationの例を示す。
【００１９】
【図８】図８は、本開示のいくつかの実施形態に応じた例示的な方法のフローチャートを示す。
【００２０】
【図９】図９は、本開示のいくつかの実施形態に応じたネットワークデバイスのブロック図である。
【００２１】
【図１０】図１０は、本開示のいくつかの実施形態に応じた端末デバイスのブロック図である。
【００２２】
【図１１】図１１は、本開示の実施形態の実施に適しているデバイスの簡略的なブロック図である。
【００２３】
図面を通して、同一または同様のリファレンス番号は、同一または同様のエレメントを表している。
【発明を実施するための形態】
【００２４】
本開示の原理は、いくつかの例示的な実施形態を参照して説明される。これらの実施形態は、本開示のスコープに関していかなる限定も示唆することなく、例示の目的および当業者が本開示を理解し実施することの一助のためにのみ記載されていることを理解されたい。本明細書に記載の開示内容は、以下に記載したもの以外に様々な方法で実施することができる。
【００２５】
以下の説明および特許請求の範囲において、他で定義されない限り、本明細書で使用される全ての技術用語および科学用語は、本開示が属する技術分野における当業者によって一般に理解されるものと同じ意味を有する。
【００２６】
本明細書で用いられるとき、用語「ネットワークデバイス」または「基地局」（BS：base station）は、端末デバイスが通信可能なセルまたはカバレージを提供またはホストすることが可能なデバイスを指す。ネットワークデバイスの例は、Node B（Node BまたはNB）、Evolved NodeB（eNodeBまたはeNB）、次世代におけるNodeB（gNB）、RRU（Remote Radio Unit）、RH（radio head）、RRH（remote radio head）、フェムトノードやピコノードなどの低電力ノードなどを含むが、これらに限定されない。説明の目的のために、以下のいくつかの実施形態は、ネットワークデバイスの例としてgNBを参照して説明される。
【００２７】
本明細書で用いられるとき、用語「端末デバイス」は、無線または有線の通信能力を有する任意のデバイスを指す。端末デバイスの例は、UE（user equipment）、パーソナルコンピュータ、デスクトップ、モバイルフォン、セルラーフォン、スマートフォン、PDA（personal digital assistant）、ポータブルコンピュータ、デジタルカメラなどのイメージキャプチャデバイス、ゲームデバイス、音楽保存および再生装置、または、無線または有線のインターネットアクセスおよびブラウジングなどを可能にするインターネット装置などを含むが、これらに限定されない。説明の目的のために、以下のいくつかの実施形態は、端末デバイスの例としてＵＥを参照して説明される。
【００２８】
本明細書で用いられるとき、単数形「a」、「an」および「the」は、文脈が明らかにそうでないことを示さない限り、複数形も含むことを意図する。用語「含む（includes）」およびその変形は、「含むが、これに限定されない（includes, but is not limited to）」ことを意味するオープン用語として読まれるべきである。用語「基づく（based on）」は、「少なくとも部分的に基づく（based at least in part on）」として読まれるべきである。用語「一実施形態（one embodiment）」および「実施形態（an embodiment）」は、「少なくとも１つの実施形態（at least one embodiment）」として読まれるべきである。用語「別の実施形態（another embodiment）」は、「少なくとも１つの他の実施形態（at least one other embodiment）」として読まれるべきである。用語「第１（first）」、「第２（second）」などは、異なるオブジェクトまたは同じオブジェクトを指すことがある。明示的および暗黙的にかかわらず、他の定義が以下に含められても良い。
【００２９】
いくつかの例では、値（values）、手順（procedures）、または装置（apparatus）は、「最良（best）」、「最低（lowest）」、「最高（highest）」、「最小（minimum）」、「最大（maximum）」などとして参照される。そのような説明は、多くの使用されている機能的な選択肢の中から選択を行うことができることを示すように意図されており、そのような選択は他の選択に対して、より良い（better）、より小さい（smaller）、より高い（higher）、または、そうではないとは限らないことを理解されたい。
【００３０】
本開示で論じられる通信は、任意の適切な規格に準拠しても良く、この規格は、NR（New Radio Access）、LTE（Long Term Evolution）、LTEエボリューション、LTE-A（LTE-Advanced）、WCDMA（登録商標）（Wideband Code Division Multiple Access）、CDMA（Code Division Multiple Access）、GSM（登録商標）（Global System for Mobile Communications）などを含むが、これらに限定されない。さらに、通信は、既存のまたは将来開発される任意の世代の通信プロトコルに従って実行されても良い。通信プロトコルの例は、1G（first generation）、2G（second generation）、2.5G、2.75G、3G（third generation）、4G（fourth generation）、4.5G、5G（fifth generation）の通信プロトコルを含むが、これらに限定されない。
【００３１】
図１は、本開示の実施形態を実施可能な例示的な通信ネットワーク１００を示している。ネットワーク１００は、ネットワークデバイス１１０と、ネットワークデバイス１１０によってサーブされる３つの端末デバイス１２０−１〜１２０−３（まとめて端末デバイス１２０として参照されるか、または、個別に端末デバイス１２０として参照される）と、を含む。ネットワークデバイス１１０のカバレッジは、セル１０２とも呼ばれる。基地局および端末デバイスの数は、任意の限定を示唆することなく、説明の目的のためだけであることを理解されたい。ネットワーク１００は、本開示の実施形態を実施するのに適した任意の適切な数の基地局および端末デバイスを含んでいれば良い。図示されていないが、１つ以上の対応するネットワークデバイスがその中に配置されたいくつかの端末デバイスにサービスを提供するセル１０２に隣接する、１つ以上の隣接セルが存在しても良いことを理解されたい。
【００３２】
ネットワークデバイス１１０は、端末デバイス１２０と通信することができる。ネットワーク１００内の通信は、任意の適切な規格に準拠しても良く、この規格は、LTE（Long Term Evolution）、LTEエボリューション、LTE-A（LTE-Advanced）、WCDMA（登録商標）（Wideband Code Division Multiple Access）、CDMA（Code Division Multiple Access）、GSM（登録商標）（Global System for Mobile Communications）などを含むが、これらに限定されない。さらに、通信は、既存のまたは将来開発される任意の世代の通信プロトコルに従って実行されても良い。通信プロトコルの例は、1G（first generation）、2G（second generation）、2.5G、2.75G、3G（third generation）、4G（fourth generation）、4.5G、5G（fifth generation）の通信プロトコルを含むが、これらに限定されない。
【００３３】
通常のデータ通信に加えて、ネットワークデバイス１１０は、ダウンリンクにおいて、ブロードキャスト方式、マルチキャスト方式、および／または、ユニキャスト方式で、１つ以上の端末デバイス１２０にＲＳ（reference signal）を送信しても良い。同様に、１つ以上の端末デバイス１２０は、アップリンクにおいて、ネットワークデバイス１１０にＲＳを送信しても良い。本明細書で用いられるときは、「ダウンリンク」は、ネットワークデバイスから端末デバイスへのリンクを指し、その一方で、「アップリンク」は、端末デバイスからネットワークデバイスへのリンクを指す。任意の限定を示唆することなく説明の目的のために、以下のいくつかの実施形態は、ダウンリンクＲＳ伝送を参照して説明される。
【００３４】
例えば、ダウンリンクＲＳ伝送については、ＲＳは、ビーム走査（beam sweeping）、チャネル推定、復調、および、通信用の他の動作のために、端末デバイス１２０により用いられても良い。一般的に言えば、ＲＳは、ネットワークデバイス１１０および端末デバイス１２０の両方に知られている信号シーケンス（”RS sequence”としても参照される）である。例えば、RS sequenceは、あるルールに基づいてネットワークデバイス１１０によって生成され送信されても良いし、端末デバイス１２０は、同じルールに基づいてRS sequenceを推定しても良い。リファレンス信号の例は、ダウンリンク又はアップリンクのDMRS（Demodulation Reference Signal）、CSI-RS（Channel State Information-Reference Signal）、SRS（Sounding Reference Signal）、PTRS (Phase Tracking Reference Signal)などを含むが、これらに限定されない。任意の限定を示唆することなく説明の目的のために、以下のいくつかの実施形態は、ＲＳの例としてＤＭＲＳを参照して説明される。
【００３５】
ダウンリンク及びアップリンクＲＳの送信において、ネットワークデバイス１１０は、送信のために対応するリソース（” RS resources”としても参照される）を割り当て、及び／又は、どのRS sequenceが送信されるかを特定することができる。いくつかのシナリオで、ネットワークデバイス１１０及び端末デバイス１２０の両方は、複数アンテナポート（又はアンテナ要素）を備えており、アンテナポート（アンテナ要素）を用いて特定されたRS sequenceを送信できる。多くのＲＳポートに関連付けられたRS resourcesの集合もまた特定される。ＲＳポートは、時間、周波数及び／又はコードドメイン内のＲＳ伝送に対して割り当てられた１以上のリソース要素（resource elements (REs)）のリソース領域へ特定のマッピングの一部又は全てのRS sequenceとして参照され得る。そのようなリソース割当情報は、ＤＣＩ（Downlink Control Information）に含まれ、ＰＤＣＣＨ（Physical Downlink Control Channel）を介して端末デバイス１２０に示され得る。
【００３６】
上記のように、ＤＭＲＳについての２つのconfigurationパターンは、３ＧＰＰ仕様で設計され、同意されてきており、それぞれが最大８又は１２の直交するＤＭＲＳポートをサポートできる。しかしながら、ＬＴＥ内のＤＭＲＳ configurationについての現在のソリューションにおいて、異なる条件を考慮せずに、ＤＣＩ内の固定数のビットだけがＤＭＲＳ configuration（例えば、ＲＳ伝送について使用されるための、アンテナポート、スクランブリングアイデンティティ、ＲＳ伝送レイヤ（transmission layer）の数、及び、ＲＳ configurationパターン）を示すためにサポートされる。
【００３７】
一つのコードワード（codeword (CW)）に対する可能なＤＭＲＳ configurationの数と、２つのＣＷに対するそれとは、全く異なる場合がある。例えば、一つのＣＷの場合、可能なＤＭＲＳ configurationは、１から４つのＲＳ伝送レイヤをカバーする必要があるだろう。可能なＤＭＲＳ configurationは、マルチユーザのスケジューリング、及び／又は、一致する再送信の要求を満たし、かつ、アンテナポート、スクランブリングアイデンティティ、ＲＳ伝送レイヤの数の異なる組合せをカバーすることも必要だろう。それ故、一つのＣＷに対する可能なＤＭＲＳ configurationの数は、比較的大きいだろう。他方、２つのＣＷの場合、ＲＳ伝送レイヤの数は５以上であり、可能なＤＭＲＳ configurationの数は一つのＣＷに対する数よりもはるかに少ないだろう。
【００３８】
しかしながら、ＬＴＥ内のダウンリンク関連のＤＣＩについて、１つまたは２つのＣＷに関係なく、固定された１６ビットがＭＣＳ／ＮＤＩ／ＲＶ（Modulation and Coding Scheme/New Data Indicator/Redundancy version）の２つの集合を示すために予約され、固定された３又は４ビットがアンテナポート、スクランブリングアイデンティティ及び層の数を示すために予約される。ＬＴＥ内のアップリンク関連のＤＣＩについて、１つまたは２つのＣＷに関係なく、固定された１２ビットがＭＣＳ／ＮＤＩ／ＲＶ及びプリコーディング情報を示すために予約される。すなわち、ＬＴＥ内のＤＭＲＳ configurationに対する現在のソリューションでは、ＤＣＩ内の固定数のビットが一つのＣＷと２つのＣＷの両方について可能なＤＭＲＳ configurationの最大数をカバーしなければならず、ＤＣＩペイロード内でビットが無駄になる。
【００３９】
本開示の実施形態によれば、上記問題及び１以上の他の潜在的な問題を解決するために、ＤＭＲＳ configurationに対する解決策が提供される。この解決策では、ＤＭＲＳ configurationを示すためのダウンリンク制御情報（Downlink Control Information）のペイロードサイズを削減することができる。
【００４０】
本開示の原理および実装は、図２から１１を参照して以下で詳細に説明され、図２は、本開示のいくつかの実施形態にかかるＲＳ伝送のための２つのプロセス２１０及び２２０を示す。説明の目的のために、プロセス２１０及び２２０は、図１を参照して説明される。プロセス２１０及び２２０は、ネットワークデバイス１１０と、ネットワークデバイス１１０によってサーブされる１つ以上の端末デバイス１２０と、を含んでも良い。
【００４１】
図２に示されるように、プロセス２１０は、ダウンリンクＲＳ伝送の場合を対象とする。一実施形態では、ネットワークデバイス１１０は、ＲＳ configurationを端末デバイス１２０へ示す（indicate）ことができる（２１１）。端末デバイス１２０は、ＲＳ configurationに基づいてＲＳを送信することができる（２１２）。端末デバイス１２０は、ネットワークデバイス１１０からＲＳ configurationを受信することができ、受信したＲＳ configurationに基づいてＲＳを検出できる。一実施形態では、ＲＳ configurationは、次の少なくとも一つを含むとよい。ＲＳパターン、ＲＳポートインデクス、ＲＳに対するシンボル数、ＣＷの数、及び／又は、転送ブロック、伝送レイヤの数、ＲＳポートの数、ＰＤＣＣＨの数、ＰＤＳＣＨ（Physical Downlink Shared Channels）の数、ＣＷの最大数、及び／又は、転送ブロック、伝送レイヤの最大数、ＲＳポートの最大数、ＰＤＣＣＨの最大数、ＰＤＳＣＨの最大数等。別の実施形態では、ＲＳ configurationは、端末デバイス１２０からの報告に依存して決定してもよい。例えば、報告は、次の少なくとも一つについて端末デバイス１２０の能力を示すとよい。ＲＳポートの数、伝送レイヤの数、ＣＷの数、及び／又は、転送ブロック、ＰＤＣＣＨの数、ＰＤＳＣＨの数等。
【００４２】
図２に示されるように、プロセス２２０は、アップリンクＲＳ伝送の場合に向けられる。別の実施形態では、ネットワークデバイス１１０は、ＲＳ configurationを端末デバイス１２０へ示す（indicate）ことができる（２２１）。端末デバイス１２０は、ネットワークデバイス１１０からＲＳ configurationを受信することができ、受信したＲＳ configurationに基づいてＲＳを送信できる（２２２）。ネットワークデバイス１１０は、ＲＳ configurationに基づいてＲＳを検出できる。一実施形態では、ＲＳ configurationは、次の少なくとも一つを含むとよい。ＲＳパターン、ＲＳポートインデクス、ＲＳに対するシンボル数、ＣＷの数、及び／又は、転送ブロック、伝送レイヤの数、ＲＳポートの数、ＰＤＣＣＨの数、ＰＤＳＣＨの数、ＣＷの最大数、及び／又は、転送ブロック、伝送レイヤの最大数、ＲＳポートの最大数、ＰＤＣＣＨの最大数、ＰＤＳＣＨの最大数等。別の実施形態では、ＲＳ configurationは、端末デバイス１２０からの報告に依存して決定してもよい。例えば、報告は、次の少なくとも一つについて端末デバイス１２０の能力を示すとよい。ＲＳポートの数、伝送レイヤの数、ＣＷの数、及び／又は、転送ブロック、ＰＤＣＣＨの数、ＰＤＳＣＨの数等。
【００４３】
一実施形態では、ＲＳ configurationの集合は、ＲＳ伝送に対して決定されるとよい。ＲＳ configurationの集合から選択された１以上のＲＳ configurationは、ネットワークデバイス１１０により端末デバイス１２０のために設定され得る。一実施形態では、端末デバイス１２０は、設定された１以上のＲＳ configurationに基づきＲＳを検出又は送信してもよい。
【００４４】
一実施形態では、ＲＳポートの集合は、ＲＳ伝送に対して決定されるとよい。例えば、ＲＳポートの集合は、（Ａ１、Ａ２、Ａ３、Ａ４・・・、ＡＲ−１、ＡＲ）により表現されるとよい。ここで、Ｒは整数かつＲ≧１、Ａｉ（ｉ∈（１，２、・・・Ｒ））は、ＲＳポートのインデクスを示す。一実施形態では、ＲＳポートの集合から選択される１以上のポートは、端末デバイス１２０に対して設定されるとよい。
一実施形態では、例えば、ＲＳポートの集合から選択されたＫ１ＲＳポート（ここで、Ｋ１は整数かつ１≦Ｋ１≦Ｒ）は、端末デバイス１２０−１に対して設定されるとよい。別の実施形態では、ＲＳポートの集合から選択されたＫ２ＲＳポート（ここで、Ｋ２は整数かつ１≦Ｋ２≦Ｒ）は、端末デバイス１２０−２に対して設定されるとよい。一実施形態では、端末デバイスに対して設定されるＲＳポートの数は、他の端末デバイスのＲＳポートの数とは異なってよい。すなわち、Ｋ１は、Ｋ２とは異なってよい。一実施形態では、一端末デバイスに対して設定されたポートインデクスは、他の端末デバイスに対して設定されたポートインデクスと異なってよい。すなわち、端末デバイス１２０−１に対するＫ１ポートのポートインデクスは、端末デバイス１２０−２に対するＫ２ポートのポートインデクスと異なってよい。別の実施形態では、端末デバイス１２０−１に対するＫ１ポートと端末デバイス１２０−２に対するＫ２ポートは、少なくとも部分的に重なり、又は、お互いから離されてよい。別の実施形態では、ＲＳポートの集合から選択されたＲＳポートのポートインデクスは、連続的、又は、不連続であるとよい。
【００４５】
図３は、本開示のいくつかの実施形態によるＲＳ configurationに関する例示的な方法３００のフローチャートを示す。方法３００は、図１に示されるようなネットワークデバイス１１０において実装され得る。説明の目的のために、方法３００は、図１を参照してネットワークデバイス１１０の視点から説明される。
【００４６】
アクト（act）３１０において、ネットワークデバイス１１０は、ＲＳ伝送に関連する少なくとも１つの条件に基づいて、ネットワークデバイス１１０によりサーブされる端末デバイス１２０に対するＲＳ configurationを示すための領域のサイズを決定する。ある実施形態では、ネットワークデバイス１１０は、少なくとも１つの条件に基づいて、ＲＳ伝送に対する１以上の可能なＲＳ configurationを決定し、そのとき、１以上の可能なＲＳ configurationの数に基づいて、領域のサイズを決定する。そして、アクト３２０において、ネットワークデバイス１１０は、ＲＳ configurationの指標（indication）を端末デバイス１２０へ送信する。ある実施形態では、指標は、ＲＳ configurationのインデクス値を備えてもよい。ある実施形態では、ネットワークデバイス１１０は、ＤＣＩ内の領域にＲＳ configurationの指標を含み、そのとき、ＰＤＣＣＨを介して端末デバイス１２０へＤＣＩを送信してもよい。
【００４７】
ある実施形態では、領域のサイズの決定に先立って、ネットワークデバイス１１０は、少なくとも１つの条件を取得し、端末デバイス１２０へ少なくとも１つの条件を示しても良い。例えば、一実施形態では、ネットワークデバイス１１０は、例えば、ＲＲＣ（Radio Resource Control）レイヤ、ＭＡＣ（Medium Access Control）レイヤ等のシグナリングのような、より高いレイヤのシグナリングを介して端末デバイス１２０へ少なくとも１つの条件を示すとよい。この方法において、端末デバイス１２０は、ネットワークデバイス１１０と同様に、少なくとも１つの条件に基づいて領域のサイズを決定できる。
【００４８】
ある実施形態では、ＲＳ伝送に関連する少なくとも１つの条件は、次の少なくとも１つを備えると良い。ＲＳ configurationパターン、ＣＷ、及び／又は、転送ブロックの数、伝送レイヤの数、ＲＳに対するシンボルの数、ＰＤＣＣＨの数、ＰＤＳＣＨの数、ＣＷ、及び／又は、転送ブロックの最大数、伝送レイヤの最大数、ＰＤＣＣＨの最大数、ＰＤＳＣＨの最大数等。一実施形態では、ＣＷ、及び／又は、転送ブロックの数は、ＲＳ伝送に対して使用されるべき伝送レイヤの数に依存して決定してもよい。例えば、伝送レイヤの数は４以下であり、ただ一つのＣＷ、及び／又は、転送ブロックがサポートされてもよい。伝送レイヤの数が４以上の場合、２つのＣＷ、及び／又は、転送ブロックがサポートされてもよい。
【００４９】
一実施形態では、ネットワークデバイス１１０は、第１の条件に基づいて、ＲＳ伝送に対するＭ個の可能なＲＳ configurationを決定するとよい。ここで、Ｍは整数かつＭ≧１である。例えば、第１の条件は、ただ１つのＣＷがＲＳ伝送に対して可能であることを示してもよい。それ故、ＤＭＲＳ configurationを示すためのＤＣＩ内の領域のビット数は、Ｐであるべきと決定されるとよい。ここで、Ｐ＝ceil(log2(M))又はlog2(M)である。別の実施形態では、ネットワークデバイス１１０は、第２の条件に基づいて、ＲＳ伝送に対するＮ個の可能なＲＳ configurationを決定するとよい。ここで、Ｎは整数かつＮ≧１である。例えば、第２の条件は、２つのＣＷがＲＳ伝送に対して可能であることを示してもよい。それ故、ＤＭＲＳ configurationを示すためのＤＣＩ内の領域のビット数は、Ｑであるべきと決定されるとよい。ここで、Ｑ＝ceil(log2(N))又はlog2(N)である。ある実施形態では、Ｍの値はＮの値とは異なり、例えば、Ｍ＞Ｎであるとよい。それ故、Ｐの値はＱの値とは異なり、例えば、Ｐ＞Ｑであるとよい。
【００５０】
一実施形態では、ただ一つのＣＷの場合、可能なＤＭＲＳ configurationは、１から４個のＲＳ伝送レイヤをカバーするとよい。例えば、１つのＲＳ伝送レイヤ（”１レイヤconfiguration”とも呼ばれる）と関連付けられたａ１個の可能なＤＭＲＳ configuration、２つのＲＳ伝送レイヤ（”２レイヤconfiguration”とも呼ばれる）と関連付けられたａ２個の可能なＤＭＲＳ configuration、３つのＲＳ伝送レイヤ（”３レイヤconfiguration”とも呼ばれる）と関連付けられたａ３個の可能なＤＭＲＳ configuration、及び、４つのＲＳ伝送レイヤ（”４レイヤconfiguration”とも呼ばれる）と関連付けられたａ４個の可能なＤＭＲＳ configuration、が存在するとよい。ここで、ａ１、ａ２、ａ３及びａ４は、非負の整数かつ互いに独立である。すなわち、ａ１、ａ２、ａ３及びａ４の値は、互いに異なり、又は、同じであってもよい。この場合、１つのＣＷに対する可能なＤＭＲＳ configurationの数は、（ａ１＋ａ２＋ａ３＋ａ４）であるとよい。図４は、異なる数のＣＷに対する可能なＤＭＲＳ configurationの例を示す。図４において、表４１０は、１つのＣＷに対する（ａ１＋ａ２＋ａ３＋ａ４）個の可能なＤＭＲＳ configurationを含むことが示される。（ａ１＋ａ２＋ａ３＋ａ４）個の可能なＤＭＲＳ configurationのそれぞれは、それぞれのインデクス値によりインデクス付けされる。それ故、ＤＭＲＳ configurationを示すためのＤＣＩ内の領域のビット数は、ｃｅｉｌ（ｌｏｇ２（ａ１＋ａ２＋ａ３＋ａ４））であると決定することができる。一実施形態では、ＤＭＲＳが最大２つの伝送レイヤを備える場合に、１つのＣＷに対して３レイヤ又は４レイヤのＤＭＲＳ configurationが存在しないとしてもよい。つまり、ａ３及びａ４の少なくとも１つの値がゼロであってもよい。
【００５１】
別の実施形態では、２つのＣＷの場合、可能なＤＭＲＳ configurationは、５から８個のＲＳ伝送レイヤをカバーするとよい。例えば、５つのＲＳ伝送レイヤ（”５レイヤconfiguration”とも呼ばれる）と関連付けられたｂ１個の可能なＤＭＲＳ configuration、６つのＲＳ伝送レイヤ（”６レイヤconfiguration”とも呼ばれる）と関連付けられたｂ２個の可能なＤＭＲＳ configuration、７つのＲＳ伝送レイヤ（”７レイヤconfiguration”とも呼ばれる）と関連付けられたｂ３個の可能なＤＭＲＳ configuration、８つのＲＳ伝送レイヤ（”８レイヤconfiguration”とも呼ばれる）と関連付けられたｂ４個の可能なＤＭＲＳ configuration、が存在するとよい。ここで、ｂ１、ｂ２、ｂ３及びｂ４は、非負の整数かつ互いに独立である。すなわち、ｂ１、ｂ２、ｂ３及びｂ４の値は、互いに異なり、又は、同じであってもよい。この場合、２つのＣＷに対する可能なＤＭＲＳ configurationの数は、（ｂ１＋ｂ２＋ｂ３＋ｂ４）であるとよい。図４に示されるように、表４２０は、２つのＣＷに対する（ｂ１＋ｂ２＋ｂ３＋ｂ４）個の可能なＤＭＲＳ configurationを含むことが示される。（ｂ１＋ｂ２＋ｂ３＋ｂ４）個の可能なＤＭＲＳ configurationのそれぞれは、それぞれのインデクス値によりインデクス付けされる。それ故、ＤＭＲＳ configurationを示すためのＤＣＩ内の領域のビット数は、ｃｅｉｌ（ｌｏｇ２（ｂ１＋ｂ２＋ｂ３＋ｂ４））であると決定することができる。一実施形態では、ＤＭＲＳが最大６つの伝送レイヤを備える場合に、２つのＣＷに対して７レイヤ又は８レイヤのＤＭＲＳ configurationが存在しないとしてもよい。つまり、ｂ３及びｂ４の少なくとも１つの値がゼロであってもよい。
【００５２】
ある実施形態では、ＤＭＲＳ configurationを示すためのＤＣＩ内の領域のサイズは、１つのＣＷ及び２つのＣＷに対する可能なＤＭＲＳ configurationの最大数に基づいて決定されるとよい。例えば、領域のサイズは、ｍａｘｉｍｕｍ（ｃｅｉｌ（ｌｏｇ２（ａ１＋ａ２＋ａ３＋ａ４））、ｃｅｉｌ（ｌｏｇ２（ｂ１＋ｂ２＋ｂ３＋ｂ４）））であってもよい。
【００５３】
ある実施形態では、ＤＭＲＳ configurationを示すためのＤＣＩ内の領域のサイズは、異なるconfigurationパターン、及び／又は、異なるＣＷの数に基づいて決定されるとよい。
【００５４】
上記のように、ＤＭＲＳに対する２つのconfigurationパターンは、３ＧＰＰ仕様（ＲＡＮ１＃８９）で設計され、同意されてきており、それぞれが最大８又は１２の直交するＤＭＲＳポートをサポートできる。あるものは、configurationパターン（すなわち、ＲＡＮ１＃８９内で同意されたようなフロントロードDMRS Configuration 1（ＤＭＲＳ設定１））に基づくＩＦＤＭ（Interleaved Frequency Division Multiplexing）として参照される。そして、ＤＭＲＳポートは、異なるComb、及び／又は、循環シフト、及び／又は、ＴＤ  ＯＣＣに基づき多重化され得る。そして、後の説明において、”DMRS Configuration 1”としても参照されるだろう。他のものは、周波数領域における隣接ＲＥを有するconfigurationパターン（すなわち、ＲＡＮ１＃８９内で同意されたようなフロントロードDMRS Configuration 2（ＤＭＲＳ設定２））に基づくＦＤ  ＯＣＣ（Frequency Division-Orthogonal Covering Code）として参照される。そして、ＤＭＲＳポートは、ＦＤＭ、及び／又は、ＦＤ  ＯＣＣ、及び／又は、ＴＤＭ、及び／又は、ＴＤ  ＯＣＣに基づき多重化され得る。そして、後の説明において、”DMRS Configuration 2”としても参照されるだろう。
【００５５】
ある実施形態では、DMRS Configuration 1の場合、最大８までのＤＭＲＳポートがサポートされ得る。すなわち、最大８個の伝送レイヤがDMRS Configuration 1に対してサポートされる。ＤＭＲＳ configurationを示すためのＤＣＩ内の領域のビット数は、Ｉであるとして決定され得る。ここで、Ｉは整数かつＩ≧１である。一実施形態では、ＤＭＲＳ configurationを示すためのＤＣＩ内の領域に含まれるインデクス数は、Ｕであるとして決定され得る。ここで、Ｕは整数かつＵ≧１である。他の実施形態では、DMRS Configuration 2の場合、最大１２までのＤＭＲＳポートがサポートされ得る。すなわち、最大１２個の伝送レイヤがDMRS Configuration 2に対してサポートされる。ＤＭＲＳ configurationを示すためのＤＣＩ内の領域のビット数は、Ｊであるとして決定され得る。ここで、Ｊは整数かつＪ≧１である。一実施形態では、ＤＭＲＳ configurationを示すためのＤＣＩ内の領域に含まれるインデクス数は、Ｖであるとして決定され得る。ここで、Ｖは整数かつＶ≧１である。一実施形態では、Ｉの値は、Ｊの値とは異なって良い。別の実施形態では、Ｕの値は、Ｖの値と異なって良い。
【００５６】
一実施形態では、DMRS Configuration 1及びただ１つのＣＷの場合、可能なＤＭＲＳ configurationの数は１６であると良く、ＤＭＲＳ configurationを示すためのＤＣＩ内の領域のビット数は４であるとして決定され得る。別の実施形態では、DMRS Configuration 1及び２つのＣＷの場合、可能なＤＭＲＳ configurationの数は４であると良く、ＤＭＲＳ configurationを示すためのＤＣＩ内の領域のビット数は２であるとして決定され得る。図５Ａは、このような実施形態の例を示す。図５Ａにおいて、表５１０は、１つのＣＷに対して１６個の可能なＤＭＲＳ configurationを含むことが示され、表５２０は、２つのＣＷと関連付けられた４個の可能なＤＭＲＳ configurationを含むことが示される。
【００５７】
一実施形態では、DMRS Configuration 2及びただ１つのＣＷの場合、可能なＤＭＲＳ configurationの数は２５であると良く、ＤＭＲＳ configurationを示すためのＤＣＩ内の領域のビット数は５であるとして決定され得る。別の実施形態では、DMRS Configuration 2及び２つのＣＷの場合、可能なＤＭＲＳ configurationの数は５であると良く、ＤＭＲＳ configurationを示すためのＤＣＩ内の領域のビット数は３であるとして決定され得る。図５Ｂは、このような実施形態の例を示す。図５Ｂにおいて、表５３０は、１つのＣＷに対して２５個の可能なＤＭＲＳ configurationを含むことが示され、表５４０は、２つのＣＷに対して５個の可能なＤＭＲＳ configurationを含むことが示される。
【００５８】
ある実施形態では、ＤＭＲＳ configurationを示すためのＤＣＩ内の領域のサイズは、異なるconfigurationパターン、及び／又は、ＲＳ伝送に対して用いられるべき異なるシンボル数に基づいて決定されるとよい。
【００５９】
一実施形態では、DMRS Configuration 1及び１シンボルの場合、最大４つの伝送レイヤがサポートされる。一実施形態では、ＤＭＲＳ configurationを示すためのＤＣＩ内の領域のビット数は、Ｉ１であるとして決定され得る。ここで、Ｉ１は整数かつＩ１≧１である。別の実施形態では、ＤＭＲＳ configurationを示すためのＤＣＩ内の領域のビット数は、Ｕ１であるとして決定され得る。ここで、Ｕ１は整数かつＵ１≧１である。別の実施形態では、DMRS Configuration 1及び２シンボルの場合、最大８つの伝送レイヤがサポートされる。一実施形態では、ＤＭＲＳ configurationを示すためのＤＣＩ内の領域のビット数は、Ｉ２であるとして決定され得る。ここで、Ｉ２は整数かつＩ２≧１である。一実施形態では、ＤＭＲＳ configurationを示すためのＤＣＩ内の領域に含まれるインデクス数は、Ｕ２であるとして決定され得る。ここで、Ｕ２は整数かつＵ２≧１である。一実施形態では、Ｉ１の値は、Ｉ２の値とは異なって良い。別の実施形態では、Ｕ１の値は、Ｕ２の値とは異なって良い。
【００６０】
一実施形態では、DMRS Configuration 2及び１シンボルの場合、最大６つ、４つ又は２つの伝送レイヤがサポートされる。一実施形態では、ＤＭＲＳ configurationを示すためのＤＣＩ内の領域のビット数は、Ｊ１であるとして決定され得る。ここで、Ｊ１は整数かつＪ１≧１である。別の実施形態では、ＤＭＲＳ configurationを示すためのＤＣＩ内の領域に含まれるインデクス数は、Ｖ１であるとして決定され得る。ここで、Ｖ１は整数かつＶ１≧１である。別の実施形態では、DMRS Configuration 2及び２シンボルの場合、最大１２の伝送レイヤがサポートされる。一実施形態では、ＤＭＲＳ configurationを示すためのＤＣＩ内の領域のビット数は、Ｊ２であるとして決定され得る。ここで、Ｊ２は整数かつＪ２≧１である。別の実施形態では、ＤＭＲＳ configurationを示すためのＤＣＩ内の領域に含まれるインデクス数は、Ｖ２であるとして決定され得る。ここで、Ｖ２は整数かつＶ２≧１である。一実施形態では、Ｊ１の値は、Ｊ２の値とは異なって良い。一実施形態では、Ｖ１の値は、Ｖ２の値とは異なって良い。
【００６１】
ある実施形態では、ＤＭＲＳ configurationを示すためのＤＣＩ内の領域の異なるサイズは、次の少なくとも一つに基づいて決定されるとよい。ＣＷ、及び／又は、転送ブロックの異なる数、伝送レイヤの異なる数、ＲＳに対するシンボルの異なる数、ＰＤＣＣＨの異なる数、ＰＤＳＣＨの異なる数、ＣＷ、及び／又は、転送ブロックの異なる最大数、伝送レイヤの異なる最大数、ＰＤＣＣＨの異なる最大数、ＰＤＳＣＨの異なる最大数等。例えば、異なるケースでは、可能なＤＭＲＳ configurationの表は、例えば、異なるconfiguration、及び／又は、インデクス数を含む場合、異なって良い。それ故、ＤＭＲＳ configurationを示すためのＤＣＩ内の領域のサイズは異なって良い。
【００６２】
一実施形態では、ＤＭＲＳ configurationを示すためのＤＣＩ内の領域のサイズが数値Ｘに基づき決定され得ると仮定する。ここで、Ｘは次の一つを示す。ＣＷ、及び／又は、転送ブロックの数、伝送レイヤの数、ＲＳに対するシンボル数、ＰＤＣＣＨの数、ＰＤＳＣＨの数、ＣＷ，及び／又は、転送ブロックの最大数、伝送レイヤの最大数、ＰＤＣＣＨの最大数、ＰＤＳＣＨの最大数等。一実施形態では、この場合、ＤＭＲＳ configurationを示すためのＤＣＩ内の領域のビット数は、Ｉ３であるとして決定され得る。ここで、Ｉ３は整数かつＩ３≧１である。一実施形態では、ＤＭＲＳ configurationを示すためのＤＣＩ内の領域に含まれるインデクス数は、Ｕ３であるとして決定され得る。ここで、Ｕ３は整数かつＵ３≧１である。
【００６３】
一実施形態では、ＤＭＲＳ configurationを示すためのＤＣＩ内の領域のサイズが数値Ｙに基づき決定され得ると仮定する。ここで、Ｙは次の一つを示す。ＣＷ、及び／又は、転送ブロックの数、伝送レイヤの数、ＲＳに対するシンボル数、ＰＤＣＣＨの数、ＰＤＳＣＨの数、ＣＷ，及び／又は、転送ブロックの最大数、伝送レイヤの最大数、ＰＤＣＣＨの最大数、ＰＤＳＣＨの最大数等。例えば、Ｙの値は、Ｘの値とは異なって良い。一実施形態では、この場合、ＤＭＲＳ configurationを示すためのＤＣＩ内の領域のビット数は、Ｉ４であるとして決定され得る。ここで、Ｉ４は整数かつＩ４≧１である。一実施形態では、ＤＭＲＳ configurationを示すためのＤＣＩ内の領域に含まれるインデクス数は、Ｕ４であるとして決定され得る。ここで、Ｕ４は整数かつＵ４≧１である。一実施形態では、Ｉ３の値は、Ｉ４の値とは異なって良い。一実施形態では、Ｕ３の値は、Ｕ４の値とは異なって良い。
【００６４】
ある実施形態では、ただ１つのＣＷがＤＭＲＳ伝送に対して有効化される場合、ＤＭＲＳ configurationを示すための領域のサイズは、ｃｅｉｌ（ｌｏｇ２（ａ１＋ａ２＋ａ３＋ａ４））であると決定することができる。ここで、それぞれ、ａ１は可能な１レイヤconfigurationの数を表現し、ａ２は可能な２レイヤconfigurationの数を表現し、ａ３は可能な３レイヤconfigurationの数を表現し、ａ４は可能な４レイヤconfigurationの数を表現する。ａ１、ａ２、ａ３及びａ４は、非負整数であり、互いから独立しているとよい。
【００６５】
ある実施形態では、１つのＣＷと２つのＣＷの両方がＤＭＲＳ伝送に対して有効化される場合、可能なＤＭＲＳ configurationの数は、ｍａｘ（（ａ１１＋ａ２１＋ａ３１＋ａ４１）、（ｂ１＋ｂ２＋ｂ３＋ｂ４））であると良い。ここで、ａ１１は可能な１レイヤconfigurationの数を表現し、ａ２１は可能な２レイヤconfigurationの数を表現し、ａ３１は可能な３レイヤconfigurationの数を表現し、ａ４１は可能な４レイヤconfigurationの数を表現し、ｂ１は可能な５レイヤconfigurationの数を表現し、ｂ２は可能な６レイヤconfigurationの数を表現し、ｂ３は可能な７レイヤconfigurationの数を表現し、ｂ４は可能な８レイヤconfigurationの数を表現する。ｂ１、ｂ２、ｂ３、ｂ４、ａ１１、ａ２１、ａ３１及びａ４１は、非負整数であり、互いから独立しているとよい。この場合、ＤＭＲＳ configurationを示すための領域のサイズは、ｃｅｉｌ（ｌｏｇ２（ｍａｘ（（ａ１１＋ａ２１＋ａ３１＋ａ４１）、（ｂ１＋ｂ２＋ｂ３＋ｂ４））））であると決定することができる。図６Ａは、このような実施形態の例を示す。図６Ａにおいて、表６１０は、１つのＣＷに対する２５個の可能なＤＭＲＳ configurationと、２つのＣＷに対する５個の可能なＤＭＲＳ configurationを含むことが示される。１つのＣＷに対する２５個の可能なＤＭＲＳ configurationと、２つのＣＷに対する５個の可能なＤＭＲＳ configurationのそれぞれは、各インデクス値が関連付けられている。２つのＣＷに関連付けられたあるインデクス値は、１つのＣＷに関連付けられたあるインデクス値と重ね合わされる。図６Ａに示されるような例では、ＤＭＲＳ configurationを示すための領域のサイズは、５であると決定されると良い。
【００６６】
（ａ１１＋ａ２１＋ａ３１＋ａ４１）の値は、例えば、図６Ａに示されるように、（ｂ１＋ｂ２＋ｂ３＋ｂ４）の値より大きいと良い。一実施形態では、ＲＳ configurationを示すためのオーバーヘッドをさらに削減するために、２つのＣＷに関連付けられたある未使用のインデクス値が１つのＣＷに対するある可能なＤＭＲＳ configurationにインデクス付けするための用いられると良い。図６Ｂは、このような実施形態を示す。図６Ｂの表６２０に示されるように、２つのＣＷに関連付けられた未使用インデクス値「６」「１４」は、元々、インデクス値「１６」「２４」によりインデクス付けされた１つのＣＷに対する可能なＤＭＲＳ configurationにインデクス付けするために使用される。
【００６７】
ある実施形態では、ＤＭＲＳ configurationを示すためのＤＣＩ内の領域のサイズを決定するための数がＸである場合、１つのＣＷに対する可能なＤＭＲＳ configurationの数は（ａ１３＋ａ２３＋ａ３３＋ａ４３）であると決定されるとよい。ここで、それぞれ、ａ１３は可能な１レイヤconfigurationの数を表現し、ａ２３は可能な２レイヤconfigurationの数を表現し、ａ３３は可能な３レイヤconfigurationの数を表現し、ａ４３は可能な４レイヤconfigurationの数を表現する。ａ１３、ａ２３、ａ３３及びａ４３は、非負整数であり、互いから独立しているとよい。ある実施形態では、ＤＭＲＳ configurationを示すためのＤＣＩ内の領域のサイズを決定するための数がＹである場合、１つのＣＷに対する可能なＤＭＲＳ configurationを示すためのインデクスの数は（ａ１４＋ａ２４＋ａ３４＋ａ４４）であると決定されるとよい。ここで、それぞれ、ａ１４は可能な１レイヤconfigurationの数を表現し、ａ２４は可能な２レイヤconfigurationの数を表現し、ａ３４は可能な３レイヤconfigurationの数を表現し、ａ４４は可能な４レイヤconfigurationの数を表現する。ａ１４、ａ２４、ａ３４及びａ４４は、非負整数であり、互いから独立しているとよい。一実施形態では、Ｘの値はＹの値とは異なって良い。この場合、Ｘと関連付けられた可能な１レイヤ、２レイヤ、３レイヤ及び４レイヤconfigurationの数の少なくとも一つは、Ｙと関連付けられた数とは異なって良い。例えば、ａ１３の値は、ａ１４の値とは異なって良い。代替的又は追加的に、ａ２３の値は、ａ２４の値とは異なって良い。代替的又は追加的に、ａ３３の値は、ａ３４の値とは異なって良い。代替的又は追加的に、ａ４３の値は、ａ４４の値とは異なって良い。
【００６８】
ある実施形態では、ＤＭＲＳ configurationを示すためのＤＣＩ内の領域のサイズを決定するための数がＸである場合、２つのＣＷに対する可能なＤＭＲＳ configurationの数は（ｂ１３＋ｂ２３＋ｂ３３＋ｂ４３）であると決定されるとよい。ここで、それぞれ、ｂ１３は可能な５レイヤconfigurationの数を表現し、ｂ２３は可能な６レイヤconfigurationの数を表現し、ｂ３３は可能な７レイヤconfigurationの数を表現し、ｂ４３は可能な８レイヤconfigurationの数を表現する。ｂ１３、ｂ２３、ｂ３３及びｂ４３は、非負整数であり、互いから独立しているとよい。ある実施形態では、ＤＭＲＳ configurationを示すためのＤＣＩ内の領域のサイズを決定するための数がＹである場合、２つのＣＷに対する可能なＤＭＲＳ configurationの数は（ｂ１４＋ｂ２４＋ｂ３４＋ｂ４４）であると決定されるとよい。ここで、それぞれ、ｂ１４は可能な５レイヤconfigurationの数を表現し、ｂ２４は可能な６レイヤconfigurationの数を表現し、ｂ３４は可能な７レイヤconfigurationの数を表現し、ｂ４４は可能な８レイヤconfigurationの数を表現する。ｂ１４、ｂ２４、ｂ３４及びｂ４４は、非負整数であり、互いから独立しているとよい。一実施形態では、Ｘの値は、Ｙの値とは異なって良い。この場合、Ｘと関連付けられた可能な５レイヤ、６レイヤ、７レイヤ及び８レイヤconfigurationの数の少なくとも一つは、Ｙと関連付けられた数とは異なって良い。例えば、ｂ１３の値は、ｂ１４の値とは異なって良い。代替的又は追加的に、ｂ２３の値は、ｂ２４の値とは異なって良い。代替的又は追加的に、ｂ３３の値は、ｂ３４の値とは異なって良い。代替的又は追加的に、ｂ４３の値は、ｂ４４の値とは異なって良い。
【００６９】
一実施形態では、ＤＣＩ内の追加領域は、インデクス値が１つのＣＷ又は２つのＣＷと関連付けられるか否かを示すために使用されることができる。例えば、ただ１つのＣＷが有効化される場合、ＤＣＩ内のＭＣＳ／ＮＤＩ／ＲＶの１集合が未使用であると良い。一実施形態では、２つのＣＷに対するＮＤＩ（New Data Indicator）の未使用領域は、インデクス値が１つのＣＷ又は２つのＣＷと関連付けられるか否かを示すために再利用されると良い。例えば、「６」と「１４」の間のインデクス値について、ＮＤＩが０と等しい場合、インデクス値が１つのＣＷと関連付けられることを示すと良い。ＮＤＩが１と等しい場合、インデクス値が２つのＣＷと関連付けられることを示すと良い。図６Ｂに示されるような例では、ＤＭＲＳ configurationを示すための領域のサイズは、図６Ａに示されるように５未満である４と決定されると良い。
【００７０】
ある実施形態では、ＤＭＲＳ configurationを示すための領域のサイズは、ＲＳ再送信と関連する異なる条件に基づいて決定されても良い。
【００７１】
２つのＣＷに対する可能なＲＳ configurationが５伝送レイヤ、６伝送レイヤ、７伝送レイヤ又は８伝送レイヤと関連付けられると仮定する。５レイヤＲＳ configurationを例に取ると、２伝送レイヤは、１つのＣＷを送信するために用いられ、３伝送レイヤは他のＣＷを送信するために用いられると良い。６レイヤＲＳ configurationを例に取ると、３伝送レイヤは、１つのＣＷを送信するために用いられ、３伝送レイヤは他のＣＷを送信するために用いられると良い。７レイヤＲＳ configurationを例に取ると、３伝送レイヤは、１つのＣＷを送信するために用いられ、４伝送レイヤは他のＣＷを送信するために用いられると良い。８レイヤＲＳ configurationを例に取ると、４伝送レイヤは、１つのＣＷを送信するために用いられ、４伝送レイヤは他のＣＷを送信するために用いられると良い。１又は２つのＣＷの送信が失敗した場合、失敗したＣＷは、再送信される必要がある。一致する再送信の要件を満たすために、少なくとも２つの伝送レイヤは、再送信のために使用されるとよい。
【００７２】
ある実施形態では、２つのＣＷが再送信のために有効化されるとよい。すなわち、１つのＣＷは新データの送信のために使用され、残りのＣＷが失敗したＣＷの再送信のために使用されると良い。この場合、後続のＤＣＩは、ＭＣＳ／ＮＤＩ／ＲＶの２集合を未だに含むとよい。後続のＤＣＩ内でＤＭＲＳ configurationを示すための領域のサイズは、上述したように、２つのＣＷに対する可能なＤＭＲＳ configurationの数に基づいて決定されると良い。
【００７３】
ある他の実施形態では、ただ１つのＣＷは、再送信のために有効化されると良い。すなわち、ただ１つのＣＷは、失敗したＣＷの再送信のために使用されるとよい。この場合、後続のＤＣＩは、ＭＣＳ／ＮＤＩ／ＲＶの２集合を未だ含むと良い。ここで、ＭＣＳ／ＮＤＩ／ＲＶの２集合の１つは有効化され、ＭＣＳ／ＮＤＩ／ＲＶの２集合の残りは無効化されると良い。上述したように、少なくとも２つの伝送レイヤは、失敗したＣＷの再送信のために用いられるだろう。それ故、１レイヤＲＳ configurationは、失敗したＣＷの再送信のために使用されないだろう。一実施形態では、可能な１レイヤＲＳ configurationの数は、１つのＣＷに対する可能なＲＳ configurationの合計数から減算され得る。このように、後続のＤＣＩのペイロードサイズはさらに減少され得る。図７は、このような実施形態の例示的な表７１０を示す。表７１０では、１レイヤＲＳ configurationは、図４に示されるような表４１０から省略される。
【００７４】
図８は、本開示のいくつかの実施形態に応じた例示的な方法８００のフローチャートを示す。方法８００は、図１に示されるような端末デバイスにおいて実装され得る。説明の目的のために、方法８００は、図１を参照して端末デバイス１２０の視点から説明される。
【００７５】
アクト８１０において、端末デバイス１２０は、ＲＳ伝送に関連する少なくとも１つの条件に基づいて、端末デバイス１２０をサーブするネットワークデバイスによりＲＳ configurationを示すための領域のサイズを決定する。
【００７６】
ある実施形態では、領域のサイズの決定に先立って、端末デバイス１２０は、ネットワークデバイス１１０から、少なくとも１つの条件の指標を受信すると良い。例えば、一実施形態では、端末デバイス１２０は、ＲＲＣ（Radio Resource Control）レイヤ、ＭＡＣ（Medium Access Control）レイヤ等におけるシグナリングのような、より高いレイヤのシグナリングを介して少なくとも１つの条件の指標を受信すると良い。
【００７７】
ある実施形態では、少なくとも１つの条件は、次の少なくとも１つを備えると良い。ＲＳ伝送のために用いられるためのＲＳ configurationパターン、ＣＷ、及び／又は、転送ブロックの数、伝送レイヤの数、シンボルの数、ＰＤＣＣＨの数、ＰＤＳＣＨの数、ＣＷ、及び／又は、転送ブロックの最大数、伝送レイヤの最大数、ＲＳポートの最大数、ＰＤＣＣＨの最大数、ＰＤＳＣＨの最大数。
【００７８】
ある実施形態では、端末デバイス１２０は、上述したように、ネットワークデバイス１１０と同じ方法で領域のサイズを決定してもよい。簡素化の目的で、端末デバイス１２０による領域のサイズの決定は、さらに詳細には説明されないだろう。
【００７９】
アクト８２０において、端末デバイス１２０は、ネットワークデバイスから、ＲＳ configurationの指標を受信する。その指標は、決定されたサイズと共に領域が含まれる。
【００８０】
ある実施形態では、指標は、ＲＳ configurationのインデクス値を含むと良い。ある実施形態では、ＲＳ configurationは、次の少なくとも１つにおける情報を含む。１以上のＲＳポート、スクランブリングアイデンティティ、ＲＳ伝送レイヤの数、及び、ＲＳ configurationと関連付けられたＲＳ configurationパターン。
【００８１】
ある実施形態では、端末デバイス１２０は、ネットワークデバイスから領域を含むＤＣＩを受信してもよい。その指標は、ＤＣＩ内の領域に含まれる。
【００８２】
ある実施形態では、ＲＳは、ＤＭＲＳ（demodulation reference signal）を含むと良い。
【００８３】
図９は、本開示のいくつかの実施形態に応じた装置９００のブロック図を示す。装置９００は、図１に示されるように、ネットワークデバイス１１０の実施例とみなすことができる。図示されるように、装置９００は、ＲＳ（reference signal）に関連する少なくとも１つの条件に基づき、ネットワークデバイスによりサーブされる端末デバイスに対するＲＳ configurationを示すための領域のサイズを決定する決定モジュール９１０を含む。装置９００は、決定されたサイズと共に領域に含まれる、ＲＳ configurationの第１の指標を端末デバイスへ送信する送信モジュール９２０も含む。
【００８４】
図１０は、本開示のいくつかの実施形態に応じた装置１０００のブロック図である。装置１０００は、図１に示されるように、端末デバイス１２０の実施例とみなすことができる。図示されるように、装置１０００は、ＲＳ（reference signal）に関連する少なくとも１つの条件に基づき、端末デバイスをサーブするネットワークデバイスによりＲＳ configurationを示すための領域のサイズを決定する決定モジュール１０１０を含む。装置１０００は、決定されたサイズと共に領域に含まれる、ＲＳ configurationの第１の指標をネットワークデバイスから受信する受信モジュール１０２０も含む。
【００８５】
分かり易くするために、図９及び／又は１０は、装置９００及び／又は１０００のいくつかの任意のモジュールを説明していない。しかしながら、図１−８を参照して説明されるような様々な特徴は、装置９００及び／又は１０００に同様に適用可能であることが理解されるだろう。その上、装置９００及び／又は１０００のそれぞれのモジュールは、ハードウェアモジュール又はソフトウェアモジュールであるとよい。例えば、ある実施形態では、装置９００及び／又は１０００は、例えば、コンピュータ可読媒体上で具体化されたコンピュータプログラム製品として実装されたソフトウェア及び／又はファームウェアにより部分的に又は完全に実装されると良い。代わりに、装置９００及び／又は１０００は、例えば、ＩＣ（integrated circuit）、ＡＳＩＣ（application-specific integrated circuit）、ＳＯＣ（system on chip）、ＦＰＧＡ（field programmable gate array）等として実装されたハードウェアに基づいて部分的又は完全に実装されてもよい。本開示の範囲は、この態様に限定されない。
【００８６】
図１１は、本開示の実施形態を実施するのに適しているデバイス１１００の簡略的なブロック図である。デバイス１１００は、図１に示されるようなネットワークデバイス１１０または端末デバイス１２０のさらなる実装例と見なすことができる。したがって、デバイス１１００は、ネットワークデバイス１１０または端末デバイス１２０として、または、それらの少なくとも一部として実装することができる。
【００８７】
図示されるように、デバイス１１００は、プロセッサ１１１０と、プロセッサ１１１０に結合されたメモリ１１２０と、プロセッサ１１１０に結合された適切な送信機（TX）および受信機（RX）１１４０と、TX／RX１１４０に結合された通信インターフェースと、を含む。メモリ１１１０は、プログラム１１３０の少なくとも一部を格納する。TX/RX１１４０は、双方向通信用である。TX/RX１１４０は、通信を容易にするために少なくとも１つのアンテナを有するが、実際には、本願で言及されるアクセスノードはいくつかのアンテナを有していても良い。通信インターフェースは、eNB間の双方向通信用のX2インターフェース、MME（Mobility Management Entity）／S-GW（Serving Gateway）とeNBとの間の通信用のS1インターフェース、eNBとRN（relay node）との間の通信用のUnインタフェース、または、eNBと端末デバイスとの間の通信用のUuインタフェースなど、他のネットワークエレメントとの通信に必要な任意のインターフェースであっても良い。
【００８８】
プログラム１１３０は、関連するプロセッサ１１１０によって実行されたときに、本明細書で図１から図８を参照して説明したような本開示の実施形態に従って、デバイス１１００を動作させることを可能にするプログラム命令を含むと仮定される。本明細書における実施形態は、デバイス１１００のプロセッサ１１１０によって実行可能なコンピュータソフトウェアによって、またはハードウェアによって、またはソフトウェアとハードウェアとの組み合わせによって、実装されても良い。プロセッサ１１１０は、本開示の様々な実施形態を実施するように設定されても良い。さらに、プロセッサ１１１０とメモリ１１１０との組み合わせは、本開示の様々な実施形態を実施するように適用されるプロセッシング手段１１５０を形成しても良い。
【００８９】
メモリ１１１０は、ローカルテクニカルネットワークに適した任意のタイプのものであっても良く、また、非限定的な例として、非一時的コンピュータ可読記憶媒体、半導体ベースのメモリデバイス、磁気メモリデバイスおよびシステム、光メモリデバイスおよびシステム、固定メモリ、およびリムーバブルメモリなどの任意の適切なデータ記憶技術を使用して、実装しても良い。デバイス１１００には１つのメモリ１１１０しか示されていないが、デバイス１１００には物理的に区別されるいくつかのメモリモジュールがあっても良い。プロセッサ１１１０は、ローカルテクニカルネットワークに適した任意のものであっても良く、また、非限定的な例として、１つ以上の汎用コンピュータ、特殊用途コンピュータ、マイクロプロセッサ、DSP（digital signal processor）、およびマルチコアプロセッサアーキテクチャに基づくプロセッサを含んでも良い。デバイス１１００は、メインプロセッサを同期させるクロックに時間的にスレーブする特定用途向け集積回路チップなどの複数のプロセッサを有しても良い。
【００９０】
一般に、本開示の様々な実施形態は、ハードウェアもしくは特殊用途の回路、ソフトウェア、ロジック、またはそれらの任意の組み合わせで実施されても良い。いくつかの態様は、ハードウェアで実施されても良く、その一方で、他の態様は、コントローラ、マイクロプロセッサまたは他のコンピューティングデバイスによって実行され得るファームウェアまたはソフトウェアで実施されても良い。本開示の実施形態の様々な態様は、ブロック図、フローチャートとして、または他の図的表現を使用して、図示および説明されているが、本明細書に記載されたブロック、装置、システム、技法、または、方法は、非限定的な例として、ハードウェア、ソフトウェア、ファームウェア、専用回路またはロジック、汎用ハードウェアまたはコントローラまたは他のコンピューティングデバイス、またはそれらのいくつかの組み合わせで実施されても良い。
【００９１】
本開示はまた、非一時的なコンピュータ可読記憶媒体上に有形に記憶された少なくとも１つのコンピュータプログラム製品を提供する。コンピュータプログラム製品は、プログラムモジュールに含まれ、ターゲットの実際のまたは仮想のプロセッサ上のデバイスで、図１から図１１のいずれかを参照して説明したプロセスまたは方法を実行するコンピュータ実行可能命令を含む。一般に、プログラムモジュールは、特定のタスクを実行するかまたは特定の抽象データタイプを実装する、ルーチン、プログラム、ライブラリ、オブジェクト、クラス、コンポーネント、データ構造などを含む。プログラムモジュールの機能は、様々な実施形態において、必要に応じてプログラムモジュール間で結合または分割されても良い。プログラムモジュール用の機械実行可能命令は、ローカルデバイスまたは分散デバイス内で実行されても良い。分散デバイスでは、プログラムモジュールは、ローカルおよびリモートの両方の記憶媒体に配置されても良い。
【００９２】
本開示の方法を実行するためのプログラムコードは、１つ以上のプログラミング言語の任意の組み合わせで書かれても良い。これらのプログラムコードは、汎用コンピュータ、専用コンピュータ、または他のプログラマブルデータ処理装置のプロセッサまたはコントローラに提供されても良く、その結果、プログラムコードがプロセッサまたはコントローラによって実行されると、フローチャートおよび／またはブロック図で特定される機能／動作を実施させる。プログラムコードは、完全に機械上で、部分的に機械上で、スタンドアロンソフトウェアパッケージとして、部分的に機械上でおよび部分的にリモートの機械上でまたは完全にリモートの機械上でまたはサーバ上で実行されても良い。
【００９３】
上記のプログラムコードは、命令実行システム、装置、またはデバイスによりまたはそれらに関連して使用するためのプログラムを含むまたは格納し得る任意の有形媒体とし得る機械可読媒体上で実施されても良い。機械可読媒体は、機械可読信号媒体または機械可読記憶媒体であっても良い。機械可読媒体は、電子、磁気、光、電磁気、赤外線、または半導体システム、装置、またはデバイス、またはそれらの任意の適切な組み合わせを含むことができるが、それらに限定されない。機械可読記憶媒体のより具体的な例は、１つ以上のワイヤを有する電気接続、ポータブルコンピュータディスケット、ハードディスク、RAM（random access memory）、ROM（read-only memory）、EPROM（erasable programmable read-only memory）またはフラッシュメモリ、光ファイバ、ポータブルCD-ROM（compact disc read-only memory）、光記憶デバイス、磁気記憶デバイス、またはこれらの任意の適切な組み合わせを含んでも良い。
【００９４】
さらに、動作は特定の順序で示されているが、所望の結果を達成するために、そのような動作が図示の特定の順序でまたは連続的な順序で実行されること、または、図示の全ての動作が実行されることを要求するものとして理解されるべきではない。特定の環境では、マルチタスキングおよび並列処理が有利であっても良い。同様に、いくつかの特定の実装の詳細は、上記の説明に含まれているが、これらは本開示の範囲についての限定として解釈されるべきではなく、むしろ特定の実施形態に特有の特徴の説明として解釈されるべきである。別々の実施形態の文脈で説明された特定の特徴はまた、単一の実施形態において組み合わせて実施されても良い。反対に、単一の実施形態の文脈で説明された様々な特徴はまた、別々にまたは任意の適切なサブコンビネーションで複数の実施形態で実施されても良い。
【００９５】
本開示は、構造的特徴および／または方法論的動作に特有の言語で説明されたが、添付の特許請求の範囲で定義される本開示は、必ずしも上述の特定の特徴または動作に限定されないことが理解されるべきである。むしろ、上記の特定の特徴および動作は、特許請求の範囲を実施する例示的形態として開示されたものである。
【図１】
0006856142.tif 000002
【図２】
0006856142.tif 000003
【図３】
0006856142.tif 000004
【図４】
0006856142.tif 000005
【図５Ａ】
0006856142.tif 000006
【図５Ｂ】
0006856142.tif 000007
【図６Ａ】
0006856142.tif 000008
【図６Ｂ】
0006856142.tif 000009
【図７】
0006856142.tif 000010
【図８】
0006856142.tif 000011
【図９】
0006856142.tif 000012
【図１０】
0006856142.tif 000013
【図１１】
0006856142.tif 000014